(57)【要約】【課題】  円柱等の曲面に沿って巻き付け可能な養生材の提供【解決手段】  中間シート２の両面に、山折りと谷折りを交互にした様に波状に湾曲した波シート３、3aを、互いの内向き凸条31、31aの頂部を接着して一体化して形成され、両波シート３、3aの内向き凸条31、31a、外向き凸条32、32aは平行であって、凸条31、31a、32、32aと直交する面内で屈曲自由である。【選択図】 図２
2006015493.tif 000002
【特許請求の範囲】
【請求項１】
中間シート(２)の両面に、山折りと谷折りを交互にした様に波状に湾曲した波シート(３)(3a)を、互いの内向き凸条(31)(31a)の頂部を接着して一体化して形成され、両波シート(３)(3a)の内向き凸条(31)(31a)、外向き凸条(32)(32a)は平行であって、凸条(31)(32)、(32)(32a)と直交する面内で屈曲自由なシート部材。
【請求項２】
平面シート(20)(20a)に波シート(３)(3a)を接着した２枚のシート体(30)(30a)を、互いの平面シート(20)(20a)を接着して形成された請求項１に記載のシート部材。
【請求項３】
第１段ロール装置(５)の一対の段ロール(51)(52)間に、長尺紙シート基材(10)を通して、山折りと谷折りを交互にした様に波状に湾曲した第１波シート(３)を製作しつつ該第１波シート(３)を該段ロール(51)(52)間から連続的に排出し、同時に第２段ロール装置(６)の一対の段ロール(61)(62)間に長尺紙シート基材(10a)を通して上記第１波シート(３)と同様の第２波シート(3a)トを、該第２波シートの内向き凸条(31a)が前記第１波シート(３)の内向き凸条(31)に対向する様に該段ロール(61)(62)間から連続的に排出しつつ、第１波シート(３)と第２波シート(3a)間に中間シート(２)を繰り出しつつ、第１、第２の両波シート(３)(3a)の内向き凸条(31)(31a)を中間シート(２)に接着するシート部材の製法。
【発明の詳細な説明】
【技術分野】
【０００１】
本発明は、ポスター、グラビア写真シート等のディスプレイ用シートを貼るためのベース材、或いは緩衝材、養生材等に実施できるシート部材、該シート部材の製法に関するものである。
【背景技術】
【０００２】
上記ベース材、緩衝材、養生材は、合成樹脂や発泡樹脂で形成されることが多かったが、これらは廃棄や焼却によって環境問題を生じることから、紙製のものに移行しつつある。
ディスプレイ用シートを貼るためのベース材を例にとれば、波状に曲げ加工した芯部材(フルート)を２枚の平面シート(ライナー)で挟んだ両面ダンボールシートが多く採用されつつある。
この場合、両面ダンボールシートの片面又は両面にディスプレイ用シートを貼ってディスプレイボードを形成する。
両面段ボールシートにディスプレイ用シートを接着すると、ダンボールシートのライナーとディスプレイ用シートが重なる。
【０００３】
両面ダンボールシートは保管状態等により、２枚のライナーの湿気具合等が異なって、反りが生じていることが多く、ディスプレイシートを貼るとこの反りが助長されて、ディスプレイボードが歪んで商品価値を損なう。
又、両面ダンボールシートは自由に曲げることはできない。
このため、両面ダンボールシートで補強したディスプレイシートを、円柱等の曲面に沿わせて展示することはできない。
両面ダンボールシートを養生材として用いる場合でも、自由に曲げることができないので、柱に巻き付けて使用し難い。又、両面ダンボールシートを円柱の曲面に沿う様に巻いて養生することはできなかった。
両面ダンボールシートを階段の養生材として使用する場合、階段の踏み板に対して滑り易いので危険である。
両面ダンボールシートを、商品と箱の隙間に詰める緩衝材として使用する場合、隙間の大きさに合わせてダンボールシートを切断し、積層しなければならず手間が掛かる。
【発明の開示】
【発明が解決しようとする課題】
【０００４】
本発明は、上記従来の問題点を解決したシート部材及びその製法を明らかにするものである。
【課題を解決するための手段】
【０００５】
本発明のシート部材(１)は、中間シート(２)の両面に、山折りと谷折りを交互にした様に波状に湾曲した波シート(３)(3a))を、互いの内向き凸条(31)(31a)の頂部を接着して一体化して形成され、両波シート(３)(3a)の内向き凸条(31)(31a)、外向き凸条(32)(32a)は平行であって、シート部材(１)は、凸条(31)(32)、(32)(32a)と直交する面内で屈曲自由である。
【発明の効果】
【０００６】
本発明のシート部材(１)と、ポスター、グラビア写真等のディスプレイ用シートとによってディスプレイボードを形成する場合、シート部材(１)の一方の波シート(３)の外向き凸条(32)(32)に跨る様に、ディスプレイ用シートを接着する。接着剤はシート部材(１)の外向き凸条(32)の頂部、又は、ディスプレイ用シートの裏面の何れかに塗布しておけばよい。
シート部材(１)は、凸条(31)(32)、(31a)(32a)と直交する面内で湾曲自由(屈曲自由)であるから、シート部材(１)の一方の面の外向き凸条(31)(31)(31)に跨ってディスプレイ用シートを貼っても、シート部材(３)の湾曲自由性は損なわれず、断面円形の太柱の湾曲に沿わせてディスプレイ用シートを展示することができる。
シート部材(１)自体は湾曲自由であって、このシート部材(１)を平坦にしてディスプレイ用シートを貼着すれば、従来の両面ダンボールシートの反りの問題及び両面ダンボールシートにディスプレイ用シートを貼着して反りが助長される問題は生じない。
ディスプレイ用シートが多少伸縮しても、シート部材(１)の波シート(３)が変形してディスプレイ用シートの伸縮を吸収してディスプレイボード全体が反ることを抑えることができる。
【０００７】
シート部材(１)の他方の面の外向き凸条(32a)(32a)に跨る様に、ディスプレイ用シートを接着して両面ディスプレイボードを形成することもできる。この両面ディスプレイボードは、２枚のディスプレイ用シートがダブルフルートのダンボールシートの両面のライナーの役割をなし、曲げ強度が大きい特徴がある。
【０００８】
本発明のシート部材(１)を、建築中或いはリフォーム中の住宅の養生材として用いる場合、シート部材(１)は両面に波シート(３)(3a)を貼っているため、変形許容量が大きく、適度の弾性復帰力も有するから、外部からの加圧や衝撃を和らげて、養生すべき部材の傷付きや汚れの付着を効果的に防止できる。
又、シート部材(１)は凸条(31)(32)、(31a)(32a)の軸芯に直交する面内で湾曲自由であるから、断面円形の柱(９)でも、該柱の曲面に沿わせてシート部材(１)を巻き付けることができ、即ち、柱とシート部材(１)との間に無用な空間を生じさせずに巻き付けできるため、シート部材(１)の使用量を最小限に抑えることができる。
又、シート部材(１)を階段や床の養生材として使用した場合、シート部材(１)の一方の面の外向き凸条(32)(32)が養生相手部材に接して、養生相手部材に対してシート部材(１)が滑り難くなる。又、シート部材(１)の他方の面の外向き凸条(32a)(32a)の上を作業者が歩く際、シート部材(１)に対して足裏が滑り難い。この様に、シート部材(１)は、養生相手部材と作業者の足裏の両方に対して滑り難いため、作業者はシート部材の上を安全に歩行できる。
【０００９】
本発明のシート部材(１)を緩衝材として用いる場合、箱詰め商品の、箱と商品との間に生じた空間に、シート部材(１)を適当に丸めて嵌め込むことができる。前記の如く、シート部材(１)は変形許容量が大きく、適度の弾性復帰力を有すから、緩衝効果は大であり、商品を運搬の際の衝撃から効果的に保護できる。
【発明を実施するための最良の形態】
【００１０】
図１は本発明のシート部材(１)を示し、平坦な中間シート(２)の両面に、山折りと谷折りを交互にした様に波状に湾曲した波シート(３)(3a)を、互いの内向き凸条(31)(31a)の頂部を接着して一体化して形成される。
両波シート(３)(3a)の内向き凸条(31)(31a)、外向き凸条(32)(32a)は平行であって、シート部材(１)は凸条(31)(32a)、(31)(32a)と直交する面内で屈曲自由である。
図２に示す如く、実施例では両波シート(３)(3a)の内向き凸条(31)(31a)は、中間シート(２)を挟んで対向している。
【００１１】
図３は、シート部材(１)の製法の第１実施例を示している。平面シート(20)(20a)に波シート(３)(3a)を接着した２枚のシート体(30)(30a)を、互いの平面シート(20)(20a)を接着してシート部材(１)が形成される。
平面シート(20)(20a)は２枚を貼り合わせて１枚の中間シート(２)となるため、薄手のものでよい。
【００１２】
図４は、シート部材(３)の第２実施例の製法及び製造装置を示している。
シート部材製造装置は、第１、第２の２つの段ロール装置(５)(６)、第１、第２の２つの接着剤塗布装置(７)(7a)及び加圧案内装置(８)によって構成される。
第１段ロール装置(５)は、夫々一対の中空段ロール(51)(52)を上下に対向配備している。両段ロール(51)(52)の周面には、該ロールの軸芯と平行に歯条(51a)(52a)が周方向に等間隔に形成され、両段ロール(51)(52)の互いの歯条(51a)(52a)が噛み合って回転する。
段ロール(51)(52)の間に長尺紙シート基材(10)を逆Ｓ字状に通すと、歯条(51a)(52a)が該紙シート基材(10)を噛み込んで、前記第１波シート(３)を連続的に製造できる。
第２段ロール装置(６)は、上記第１段ロール装置(５)の下方にて、夫々一対の中空段ロール(61)(62)を上下に対向配備している。
段ロール(61)(62)には、互いに噛み合う歯条(61a)(62a)が形成され、段ロール(61)(62)間をＳ字状に通した長尺紙シート基材(10a)から前記第２波シート(3a)を形成できる。
両ロール装置(５)(６)の波シート排出側の段ロール(52)(62)は、互いの歯条(52a)(62a)が突き合わさる様に、位相を揃えて回転可能に配備され、突き合わさった歯条(52a)(62a)の間の隙間は、後記する中間シート(２)を挟んで重なった２枚のシート基材(10)(10a)を加圧できる様に僅かな距離に設定されている。
各段ロール(51)(52)(61)(62)には加熱蒸気が充満して段ロール表面は高い温度に維持され、紙シート基材(10)(10a)に曲げ癖をつけ易くしている。
【００１３】
２つのロール装置(５)(６)の夫々排出側の段ロール(52)(62)の近傍に接着剤塗布装置(７)(7a)が配備される。
両接着剤塗布装置(７)(7a)は共に、塗布ロール(71)と該塗布ロールに接触して塗布ロールとは逆回転する補助ロール(72)とによって形成され、塗布ロール(71)(71)を前記排出側の段ロール(52)(62)上の波シート(３)(3a)を押圧可能に位置している。
塗布ロール(71)と補助ロール(72)によって形成される溜まり部(70)に接着剤(73)を溜めておき、塗布ロール(71)の回転によって接着剤を波シート(３)(3a)の内向き凸条(31)(31a)の頂部に転写して塗布する。
【００１４】
加圧案内装置(８)は、前記両ロール装置(５)(６)の排出側の段ロール(52)(62)から排出されるシート部材(１)の排出移行路を挟んで、搬送コンベア(81)と押さえコンベア(82)を上下に対向配備して構成される。
両コンベア(81)(82)のベルト(83)(84)は、前記段ロール(52)(62)の回転速度に対応する速度でシート部材(３)を排出する方向に周回する。
押さえコンベア(82)は、シート部材(３)の細パイプ体(31)を押し潰すことのない程度に、搬送コンベア(81)側に常時付勢されている。
【００１５】
前記の如く、第１段ロール装置(５)の段ロール(51)(52)の間を長尺紙シート基材(10)が通過して、第１波シート(３)が製造される。
第２段ロール装置(６)でも段ロール(61)(62)の間を長尺紙シート基材(20)が通過して、第２波シート(3a)が製造される。
第１波シート(３)及び第２波シート(3a)の内向き凸条(31)(31a)の頂部には、接着剤塗布装置(７)(7a)によって接着剤が塗布される。
両ロール装置(５)(６)の排出側ダンロール(52)(62)間に、中間シート(２)が連続して供給される。
両ロール装置(５)(６)の排出側段ロール(52)(62)は、互いの歯条(52a)(62a)が順に付き合わさる様に近接して回転しているから、第１波シート(３)と第２波シート(3a)は、互いの内向き凸条(31)(31a)の頂部どうしが歯条(52a)(62a)によって中間シート(２)に加圧され、予め該凸条(31)(31a)に塗布された接着剤によって接着される。
中間シート(２)に第１波シート(３)と第２波シート(3a)が接着されたシート部材(１)は、搬送コンベア(81)と加圧コンベア(82)との間に引き込まれ、加圧されることによって、接着部分の強固な接着を実現できる。
接着部分の全長に亘って両側には直線的な空間が存在するため、該空間に自由に流れる空気が、接着剤を乾燥斑を生じさせずに短時間で乾燥させる。
【００１６】
然して、本発明のシート部材(１)をディスプレイ用のベース材とする場合、図５に示す如く、シート部材(１)の一方の波シート(３)の外向き凸条(32)(32)に跨る様にポスター、グラビア写真等のディスプレイ用シートＳを接着する。
シート部材(１)は、凸条(31)(32)、(31a)(32a)と直交する面内で湾曲自由(屈曲自由)であるから、シート部材(１)の一方の面の外向き凸条(31)(31)(31)に跨ってディスプレイ用シートＳを貼っても、シート部材(３)の湾曲自由性は損なわれず、断面円形の太柱(９)の湾曲に沿わせてディスプレイ用シートＳを展示することができる。
【００１７】
図５の２点鎖線で示す如く、シート部材(１)の他方の面にも外向き(32a)(32a)に跨る様にディスプレイ用シートＳを接着して両面ディスプレイボードを形成することもできる。この場合、２枚のディスプレイ用シートＳがダブルフルートのダンボールシートの両面のライナーの役割をなし、湾曲自由性は失われる。このため、ディスプレイ用シートを含むシート部材(１)は、平面形状の安定性に優れている。
【００１８】
本発明のシート部材(１)を、建築中或いはリフォーム中の住宅の養生材として用いる場合、シート部材(１)は両面に波シート(３)(3a)を貼っているため、変形許容量が大きく、適度の弾性復帰力も有するから、外部からの加圧や衝撃を和らげて、養生すべき部材の傷付きや汚れの付着を効果的に防止できる。
又、シート部材(１)は凸条(31)(32)、(31a)(32a)の軸芯に直交する面内で湾曲自由であるから、図６に示す如く、断面円形の柱(９)でも、該柱の曲面に沿わせてシート部材(１)を巻き付けることができ、即ち、柱とシート部材(１)との間に無用な空間を生じさせずに巻き付けできるため、シート部材(１)の使用量を最小限に抑えることができる。
又、シート部材(１)を図７に示す階段や床の養生材として使用した場合、シート部材(１)の一方の面の外向き凸条(31)(31)が養生相手部材に接して、養生相手部材に対してシート部材(１)が滑り難くなる。又、シート部材(１)の他方の面の外向き凸条(31a)(31a)の上を作業者が歩くことになり、シート部材(１)に対して滑り難い。この様に、シート部材は、養生相手部材と作業者の足裏に対しても滑り難いため、作業者はシート部材の上を安全に歩行できる。
【００１９】
本発明のシート部材(１)を緩衝材として用いる場合、箱詰め商品の、箱と商品のとの間に生じた空間に、シート部材(１)を適当に丸めて嵌め込むことができる。前記の如く、シート部材(１)は変形許容量が大きく、適度の弾性復帰力を有すから、緩衝効果は大であり、商品を運搬の際の衝撃から効果的に保護できる。
【００２０】
図８は、シート部材(１)を複数層に折り重ねてブロック体(11)を形成し、箱Ｃ内に収容した商品Ａ，Ｂと、箱Ｃとの間に生じる空間Ｄに、ブロック体(11)を充填した状態を示している。
ブロック体(11)は、折り重ねたシート部材(１)の隣り合う凸条と凹条が嵌まり合って略ハニカム構造のブロック体となるから、外圧に対して変形し難い。従って、重量の嵩む商品Ｂが、ブロック体(11)を押す様な強い力が箱に加っても、ブロック体の変形は防止され、商品Ｂが箱内で揺れ動くことを防止できる。然も、ブロック体(11)を形成する紙製シート部材(１)の適度な柔らかさによって、ブロック体(11)に接する商品Ａ、Ｂを傷つけることはない。
ブロック体(11)は、シート部材(１)を複数層に折り重ねて形成するため、前記空間Ｄが例えば台形である場合でも、シート部材(１)の折り幅を徐々に違えることにより、空間Ｄの形状に対応した形状のブロック体(11)を形成できる。
【００２１】
商品Ｂが軽量である場合、シート部材(１)を適当に丸めて空間Ｄに詰め込むだけで、緩衝材として十分な役割を果たすことができる。
【００２２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、実施例のシート部材(１)は、両波シート(３)(3a)の内向き凸条(31)(31a)は、中間シート(２)を挟んで対向しているが、凸条(31)(31a)が対向する必要はない。
【図面の簡単な説明】
【００２３】
【図１】シート部材の斜面図である。
【図２】シート部材の正面拡大図である。
【図３】シート部材の製法の第１実施例の説明図である。
【図４】シート部材の第２実施例の製法及び製造装置の概略説明図である。
【図５】シート部材にディスプレイシートを接着した状態の斜面図である。
【図６】円柱にシート部材を巻き付けた状態の説明図である。
【図７】階段の養生材としての使用例を示す断面図である。
【図８】箱詰め商品の隙間に、シート部材で造ったハニカム構造のブロックを嵌め込んだ状態を示す平面図である。
【符号の説明】
【００２４】
１  シート部材11
２  中間シート
３  波シート
31  内向き凸条
32  外向き凸条
【図１】
2006015493.tif 000003
【図２】
2006015493.tif 000004
【図３】
2006015493.tif 000005
【図４】
2006015493.tif 000006
【図５】
2006015493.tif 000007
【図６】
2006015493.tif 000008
【図７】
2006015493.tif 000009
【図８】
2006015493.tif 000010
【手続補正書】
【提出日】平成17年1月26日(2005.1.26)
【手続補正１】
【補正対象書類名】特許請求の範囲
【補正対象項目名】全文
【補正方法】変更
【補正の内容】
【特許請求の範囲】
【請求項１】
中間シート(２)の両面に、山折りと谷折りを交互にした様に波状に湾曲した波シート(３)(3a)を、互いの内向き凸条(31)(31a)の頂部を接着して一体化して形成され、両波シート(３)(3a)の内向き凸条(31)(31a)、外向き凸条(32)(32a)は平行であって、凸条(31)(31a)、(32)(32a)と直交する面内で屈曲自由なシート部材。
【請求項２】
平面シート(20)(20a)に波シート(３)(3a)を接着した２枚のシート体(30)(30a)を、互いの平面シート(20)(20a)を接着して形成された請求項１に記載のシート部材。
【請求項３】
第１段ロール装置(５)の一対の段ロール(51)(52)間に、長尺紙シート基材(10)を通して、山折りと谷折りを交互にした様に波状に湾曲した第１波シート(３)を製作しつつ該第１波シート(３)を該段ロール(51)(52)間から連続的に排出し、同時に第２段ロール装置(６)の一対の段ロール(61)(62)間に長尺紙シート基材(10a)を通して上記第１波シート(３)と同様の第２波シート(3a)トを、該第２波シートの内向き凸条(31a)が前記第１波シート(３)の内向き凸条(31)に対向する様に該段ロール(61)(62)間から連続的に排出しつつ、第１波シート(３)と第２波シート(3a)間に中間シート(２)を繰り出しつつ、第１、第２の両波シート(３)(3a)の内向き凸条(31)(31a)を中間シート(２)に接着するシート部材の製法。
【手続補正２】
【補正対象書類名】明細書
【補正対象項目名】全文
【補正方法】変更
【補正の内容】
【発明の詳細な説明】
【技術分野】
【０００１】
本発明は、ポスター、グラビア写真シート等のディスプレイ用シートを貼るためのベース材、或いは緩衝材、養生材等に実施できるシート部材、該シート部材の製法に関するものである。
【背景技術】
【０００２】
上記ベース材、緩衝材、養生材は、合成樹脂や発泡樹脂で形成されることが多かったが、これらは廃棄や焼却によって環境問題を生じることから、紙製のものに移行しつつある。
ディスプレイ用シートを貼るためのベース材を例にとれば、波状に曲げ加工した芯部材(フルート)を２枚の平面シート(ライナー)で挟んだ両面ダンボールシートが多く採用されつつある。
この場合、両面ダンボールシートの片面又は両面にディスプレイ用シートを貼ってディスプレイボードを形成する。
両面段ボールシートにディスプレイ用シートを接着すると、ダンボールシートのライナーとディスプレイ用シートが重なる。
【０００３】
両面ダンボールシートは保管状態等により、２枚のライナーの湿気具合等が異なって、反りが生じていることが多く、ディスプレイシートを貼るとこの反りが助長されて、ディスプレイボードが歪んで商品価値を損なう。
又、両面ダンボールシートは自由に曲げることはできない。
このため、両面ダンボールシートで補強したディスプレイシートを、円柱等の曲面に沿わせて展示することはできない。
両面ダンボールシートを養生材として用いる場合でも、自由に曲げることができないので、柱に巻き付けて使用し難い。又、両面ダンボールシートを円柱の曲面に沿う様に巻いて養生することはできなかった。
両面ダンボールシートを階段の養生材として使用する場合、階段の踏み板に対して滑り易いので危険である。
両面ダンボールシートを、商品と箱の隙間に詰める緩衝材として使用する場合、隙間の大きさに合わせてダンボールシートを切断し、積層しなければならず手間が掛かる。
【発明の開示】
【発明が解決しようとする課題】
【０００４】
本発明は、上記従来の問題点を解決したシート部材及びその製法を明らかにするものである。
【課題を解決するための手段】
【０００５】
本発明のシート部材(１)は、中間シート(２)の両面に、山折りと谷折りを交互にした様に波状に湾曲した波シート(３)(3a))を、互いの内向き凸条(31)(31a)の頂部を接着して一体化して形成され、両波シート(３)(3a)の内向き凸条(31)(31a)、外向き凸条(32)(32a)は平行であって、シート部材(１)は、凸条(31)(31a)、(32)(32a)と直交する面内で屈曲自由である。
【発明の効果】
【０００６】
本発明のシート部材(１)と、ポスター、グラビア写真等のディスプレイ用シートとによってディスプレイボードを形成する場合、シート部材(１)の一方の波シート(３)の外向き凸条(32)(32)に跨る様に、ディスプレイ用シートを接着する。接着剤はシート部材(１)の外向き凸条(32)の頂部、又は、ディスプレイ用シートの裏面の何れかに塗布しておけばよい。
シート部材(１)は、凸条(31)(32)、(31a)(32a)と直交する面内で湾曲自由(屈曲自由)であるから、シート部材(１)の一方の面の外向き凸条(31)(31)(31)に跨ってディスプレイ用シートを貼っても、シート部材(１)の湾曲自由性は損なわれず、断面円形の太柱の湾曲に沿わせてディスプレイ用シートを展示することができる。
シート部材(１)自体は湾曲自由であって、このシート部材(１)を平坦にしてディスプレイ用シートを貼着すれば、従来の両面ダンボールシートの反りの問題及び両面ダンボールシートにディスプレイ用シートを貼着して反りが助長される問題は生じない。
ディスプレイ用シートが多少伸縮しても、シート部材(１)の波シート(３)が変形してディスプレイ用シートの伸縮を吸収してディスプレイボード全体が反ることを抑えることができる。
【０００７】
シート部材(１)の他方の面の外向き凸条(32a)(32a)に跨る様に、ディスプレイ用シートを接着して両面ディスプレイボードを形成することもできる。この両面ディスプレイボードは、２枚のディスプレイ用シートがダブルフルートのダンボールシートの両面のライナーの役割をなし、曲げ強度が大きい特徴がある。
【０００８】
本発明のシート部材(１)を、建築中或いはリフォーム中の住宅の養生材として用いる場合、シート部材(１)は両面に波シート(３)(3a)を貼っているため、変形許容量が大きく、適度の弾性復帰力も有するから、外部からの加圧や衝撃を和らげて、養生すべき部材の傷付きや汚れの付着を効果的に防止できる。
又、シート部材(１)は凸条(31)(32)、(31a)(32a)の軸芯に直交する面内で湾曲自由であるから、断面円形の柱(９)でも、該柱の曲面に沿わせてシート部材(１)を巻き付けることができ、即ち、柱とシート部材(１)との間に無用な空間を生じさせずに巻き付けできるため、シート部材(１)の使用量を最小限に抑えることができる。
又、シート部材(１)を階段や床の養生材として使用した場合、シート部材(１)の一方の面の外向き凸条(32)(32)が養生相手部材に接して、養生相手部材に対してシート部材(１)が滑り難くなる。又、シート部材(１)の他方の面の外向き凸条(32a)(32a)の上を作業者が歩く際、シート部材(１)に対して足裏が滑り難い。この様に、シート部材(１)は、養生相手部材と作業者の足裏の両方に対して滑り難いため、作業者はシート部材の上を安全に歩行できる。
【０００９】
本発明のシート部材(１)を緩衝材として用いる場合、箱詰め商品の、箱と商品との間に生じた空間に、シート部材(１)を適当に丸めて嵌め込むことができる。前記の如く、シート部材(１)は変形許容量が大きく、適度の弾性復帰力を有すから、緩衝効果は大であり、商品を運搬の際の衝撃から効果的に保護できる。
【発明を実施するための最良の形態】
【００１０】
図１は本発明のシート部材(１)を示し、平坦な中間シート(２)の両面に、山折りと谷折りを交互にした様に波状に湾曲した波シート(３)(3a)を、互いの内向き凸条(31)(31a)の頂部を接着して一体化して形成される。
両波シート(３)(3a)の内向き凸条(31)(31a)、外向き凸条(32)(32a)は平行であって、シート部材(１)は凸条(31)(32a)、(32)(32a)と直交する面内で屈曲自由である。
図２に示す如く、実施例では両波シート(３)(3a)の内向き凸条(31)(31a)は、中間シート(２)を挟んで対向している。
【００１１】
図３は、シート部材(１)の製法の第１実施例を示している。平面シート(20)(20a)に波シート(３)(3a)を接着した２枚のシート体(30)(30a)を、互いの平面シート(20)(20a)を接着してシート部材(１)が形成される。
平面シート(20)(20a)は２枚を貼り合わせて１枚の中間シート(２)となるため、薄手のものでよい。
【００１２】
図４は、シート部材(１)の第２実施例の製法及び製造装置を示している。
シート部材製造装置は、第１、第２の２つの段ロール装置(５)(６)、第１、第２の２つの接着剤塗布装置(７)(7a)及び加圧案内装置(８)によって構成される。
第１段ロール装置(５)は、夫々一対の中空段ロール(51)(52)を上下に対向配備している。両段ロール(51)(52)の周面には、該ロールの軸芯と平行に歯条(51a)(52a)が周方向に等間隔に形成され、両段ロール(51)(52)の互いの歯条(51a)(52a)が噛み合って回転する。
段ロール(51)(52)の間に長尺紙シート基材(10)を逆Ｓ字状に通すと、歯条(51a)(52a)が該紙シート基材(10)を噛み込んで、前記第１波シート(３)を連続的に製造できる。
第２段ロール装置(６)は、上記第１段ロール装置(５)の下方にて、夫々一対の中空段ロール(61)(62)を上下に対向配備している。
段ロール(61)(62)には、互いに噛み合う歯条(61a)(62a)が形成され、段ロール(61)(62)間をＳ字状に通した長尺紙シート基材(10a)から前記第２波シート(3a)を形成できる。
両ロール装置(５)(６)の波シート排出側の段ロール(52)(62)は、互いの歯条(52a)(62a)が突き合わさる様に、位相を揃えて回転可能に配備され、突き合わさった歯条(52a)(62a)の間の隙間は、後記する中間シート(２)を挟んで重なった２枚のシート基材(10)(10a)を加圧できる様に僅かな距離に設定されている。
各段ロール(51)(52)(61)(62)には加熱蒸気が充満して段ロール表面は高い温度に維持され、紙シート基材(10)(10a)に曲げ癖をつけ易くしている。
【００１３】
２つのロール装置(５)(６)の夫々排出側の段ロール(52)(62)の近傍に接着剤塗布装置(７)(7a)が配備される。
両接着剤塗布装置(７)(7a)は共に、塗布ロール(71)と該塗布ロールに接触して塗布ロールとは逆回転する補助ロール(72)とによって形成され、塗布ロール(71)(71)は前記排出側の段ロール(52)(62)上の波シート(３)(3a)を押圧可能に位置している。
塗布ロール(71)と補助ロール(72)によって形成される溜まり部(70)に接着剤(73)を溜めておき、塗布ロール(71)の回転によって接着剤を波シート(３)(3a)の内向き凸条(31)(31a)の頂部に転写して塗布する。
【００１４】
加圧案内装置(８)は、前記両ロール装置(５)(６)の排出側の段ロール(52)(62)から排出されるシート部材(１)の排出移行路を挟んで、搬送コンベア(81)と押さえコンベア(82)を上下に対向配備して構成される。
両コンベア(81)(82)のベルト(83)(84)は、前記段ロール(52)(62)の回転速度に対応する速度でシート部材(１)を排出する方向に周回する。
押さえコンベア(82)は、シート部材(１)を押し潰すことのない程度に、搬送コンベア(81)側に常時付勢されている。
【００１５】
前記の如く、第１段ロール装置(５)の段ロール(51)(52)の間を長尺紙シート基材(10)が通過して、第１波シート(３)が製造される。
第２段ロール装置(６)でも段ロール(61)(62)の間を長尺紙シート基材(10a)が通過して、第２波シート(3a)が製造される。
第１波シート(３)及び第２波シート(3a)の内向き凸条(31)(31a)の頂部には、接着剤塗布装置(７)(7a)によって接着剤が塗布される。
両ロール装置(５)(６)の排出側段ロール(52)(62)間に、中間シート(２)が連続して供給される。
両ロール装置(５)(６)の排出側段ロール(52)(62)は、互いの歯条(52a)(62a)が順に付き合わさる様に近接して回転しているから、第１波シート(３)と第２波シート(3a)は、互いの内向き凸条(31)(31a)の頂部どうしが歯条(52a)(62a)によって中間シート(２)に加圧され、予め該凸条(31)(31a)に塗布された接着剤によって接着される。
中間シート(２)に第１波シート(３)と第２波シート(3a)が接着されたシート部材(１)は、搬送コンベア(81)と加圧コンベア(82)との間に引き込まれ、加圧されることによって、接着部分の強固な接着を実現できる。
接着部分の全長に亘って両側には直線的な空間が存在するため、該空間に自由に流れる空気が、接着剤を乾燥斑を生じさせずに短時間で乾燥させる。
【００１６】
然して、本発明のシート部材(１)をディスプレイ用のベース材とする場合、図５に示す如く、シート部材(１)の一方の波シート(３)の外向き凸条(32)(32)に跨る様にポスター、グラビア写真等のディスプレイ用シートＳを接着する。
シート部材(１)は、凸条(31)(32)、(31a)(32a)と直交する面内で湾曲自由(屈曲自由)であるから、シート部材(１)の一方の面の外向き凸条(31)(31)(31)に跨ってディスプレイ用シートＳを貼っても、シート部材(１)の湾曲自由性は損なわれず、断面円形の太柱(９)の湾曲に沿わせてディスプレイ用シートＳを展示することができる。
【００１７】
図５の２点鎖線で示す如く、シート部材(１)の他方の面にも外向き(32a)(32a)に跨る様にディスプレイ用シートＳを接着して両面ディスプレイボードを形成することもできる。この場合、２枚のディスプレイ用シートＳがダブルフルートのダンボールシートの両面のライナーの役割をなし、湾曲自由性は失われる。このため、ディスプレイ用シートを含むシート部材(１)は、平面形状の安定性に優れている。
【００１８】
本発明のシート部材(１)を、建築中或いはリフォーム中の住宅の養生材として用いる場合、シート部材(１)は両面に波シート(３)(3a)を貼っているため、変形許容量が大きく、適度の弾性復帰力も有するから、外部からの加圧や衝撃を和らげて、養生すべき部材の傷付きや汚れの付着を効果的に防止できる。
又、シート部材(１)は凸条(31)(32)、(31a)(32a)の軸芯に直交する面内で湾曲自由であるから、図６に示す如く、断面円形の柱(９)でも、該柱の曲面に沿わせてシート部材(１)を巻き付けることができ、即ち、柱とシート部材(１)との間に無用な空間を生じさせずに巻き付けできるため、シート部材(１)の使用量を最小限に抑えることができる。
又、シート部材(１)を図７に示す階段や床の養生材として使用した場合、シート部材(１)の一方の面の外向き凸条(31)(31)が養生相手部材に接して、養生相手部材に対してシート部材(１)が滑り難くなる。又、シート部材(１)の他方の面の外向き凸条(31a)(31a)の上を作業者が歩くことになり、シート部材(１)に対して滑り難い。この様に、シート部材は、養生相手部材と作業者の足裏に対しても滑り難いため、作業者はシート部材の上を安全に歩行できる。
【００１９】
本発明のシート部材(１)を緩衝材として用いる場合、箱詰め商品の、箱と商品のとの間に生じた空間に、シート部材(１)を適当に丸めて嵌め込むことができる。前記の如く、シート部材(１)は変形許容量が大きく、適度の弾性復帰力を有すから、緩衝効果は大であり、商品を運搬の際の衝撃から効果的に保護できる。
【００２０】
図８は、シート部材(１)を複数層に折り重ねてブロック体(11)を形成し、箱Ｃ内に収容した商品Ａ，Ｂと、箱Ｃとの間に生じる空間Ｄに、ブロック体(11)を充填した状態を示している。
ブロック体(11)は、折り重ねたシート部材(１)の隣り合う凸条と凹条が嵌まり合って略ハニカム構造のブロック体となるから、外圧に対して変形し難い。従って、重量の嵩む商品Ｂが、ブロック体(11)を押す様な強い力が箱に加っても、ブロック体の変形は防止され、商品Ｂが箱内で揺れ動くことを防止できる。然も、ブロック体(11)を形成する紙製シート部材(１)の適度な柔らかさによって、ブロック体(11)に接する商品Ａ、Ｂを傷つけることはない。
ブロック体(11)は、シート部材(１)を複数層に折り重ねて形成するため、前記空間Ｄが例えば台形である場合でも、シート部材(１)の折り幅を徐々に違えることにより、空間Ｄの形状に対応した形状のブロック体(11)を形成できる。
【００２１】
商品Ｂが軽量である場合、シート部材(１)を適当に丸めて空間Ｄに詰め込むだけで、緩衝材として十分な役割を果たすことができる。
【００２２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、実施例のシート部材(１)は、両波シート(３)(3a)の内向き凸条(31)(31a)は、中間シート(２)を挟んで対向しているが、凸条(31)(31a)が対向する必要はない。
【図面の簡単な説明】
【００２３】
【図１】シート部材の斜面図である。
【図２】シート部材の正面拡大図である。
【図３】シート部材の製法の第１実施例の説明図である。
【図４】シート部材の第２実施例の製法及び製造装置の概略説明図である。
【図５】シート部材にディスプレイシートを接着した状態の斜面図である。
【図６】円柱にシート部材を巻き付けた状態の説明図である。
【図７】階段の養生材としての使用例を示す断面図である。
【図８】箱詰め商品の隙間に、シート部材で造ったハニカム構造のブロックを嵌め込んだ状態を示す平面図である。
【符号の説明】
【００２４】
１  シート部材
２  中間シート
３  波シート
31  内向き凸条
32  外向き凸条
【手続補正３】
【補正対象書類名】図面
【補正対象項目名】図４
【補正方法】変更
【補正の内容】
【図４】
2006015493.tif 000011